(57)【要約】【課題】同じ表示モニタにおいて異なる映像を視聴している運転席のユーザと助手席のユーザに対してコミュニケーションを促すナビゲーション装置を提供する。【解決手段】ユーザは、予め地図３０上の位置６２を指定した後、メモ６１を登録する。メモを登録した後、運転席側から見える表示画面には自車位置周辺を表示した地図画面を、助手席側から見える表示画面には地上デジタル放送を表示する。登録した位置から所定距離以内に車両が接近すると、運転席側から見える表示画面にメモ６１を表示する。一方、助手席側から見える表示画面にも、地上デジタル放送の映像６４と重ねて、メモ６１を表示する。このようにして、運転席のユーザと助手席のユーザとに共通の話題を提供できる。【選択図】図６
2008039402.tif 000002
【特許請求の範囲】
【請求項１】
一方向から見える表示画面と他方向から見える表示画面とを異ならせた表示モニタと、
車両が予め登録した地点を走行するとき、または予め登録した地点から所定距離内に接近したとき、予め登録したメモを前記表示モニタに表示する表示制御手段とを備え、
前記表示制御手段は、前記一方向から見える表示画面および他方向から見える表示画面の少なくともいずれか一方に前記予め登録したメモを表示することを特徴とするナビゲーション装置。
【請求項２】
請求項１に記載のナビゲーション装置において、
前記表示制御手段は、前記一方向から見える表示画面には、前記他方向から見える表示画面に表示するメモと異なるメモを表示することを特徴とするナビゲーション装置。
【請求項３】
請求項１または２に記載のナビゲーション装置において、
前記表示制御手段は、前記一方向から見える表示画面および前記他方向から見える表示画面のいずれか一方、もしくは双方に、前記予め登録したメモを表示するようにメモ表示画面を選択する表示画面選択手段を有することを特徴とするナビゲーション装置。
【請求項４】
請求項１乃至３のいずれか１項に記載のナビゲーション装置において、
前記表示制御手段は、前記一方向として運転席側から見える表示画面に地図を、前記他方向として助手席側から見える表示画面に地上デジタル放送または記録媒体に記憶させた映像を表示することを特徴とするナビゲーション装置。
【請求項５】
２つの表示モニタと、
車両が予め登録した地点を走行するとき、または予め登録した地点から所定距離内に接近したとき、前記２つの表示モニタのうちの少なくともいずれか一方に予め登録したメモを表示する表示制御手段を備えることを特徴とするナビゲーション装置。
【請求項６】
請求項５に記載のナビゲーション装置において、
前記表示制御手段は、前記２つの表示モニタのそれぞれに異なるメモを表示することを特徴とするナビゲーション装置。
【請求項７】
請求項５または６に記載のナビゲーション装置において、
前記表示制御手段は、前記２つの表示モニタのいずれか一方、もしくは双方に、前記予め登録したメモを表示するようにメモ表示画面を選択する表示画面選択手段を有することを特徴とするナビゲーション装置。
【請求項８】
請求項５乃至７のいずれか１項に記載のナビゲーション装置において、
前記表示制御手段は、前記２つの表示モニタの一方に地図を、他方に地上デジタル放送または記録媒体に記憶した映像を表示することを特徴とするナビゲーション装置。
【請求項９】
請求項１乃至８のいずれか１項に記載のナビゲーション装置において、
前記メモを手書き文字で入力する入力手段を備え、
前記表示制御手段は、前記入力手段によって入力されたメモを表示することを特徴とするナビゲーション装置。
【請求項１０】
請求項１乃至９のいずれか１項に記載のナビゲーション装置において、
前記表示制御手段は、前記車両が予め登録した日時において、前記予め登録した地点を走行するとき、または前記予め登録した地点から所定距離内に接近するとき、前記予め登録したメモを前記表示モニタに表示することを特徴とするナビゲーション装置。
【発明の詳細な説明】
【技術分野】
【０００１】
本発明は、一方向から見える表示画面と他方向から見える表示画面とが異なる表示モニタを備えた、または２つの表示モニタを備えたナビゲーション装置に関する。
【背景技術】
【０００２】
視聴者の見る方向によって見える映像が異なるディスプレイが従来技術として知られている（特許文献１）。このディスプレイをナビゲーション装置に設けることによって、運転席において見える映像と助手席において見える映像とを異ならせることができる。たとえば、運転席のユーザには車両周囲の地図画面を表示し、助手席のユーザにはテレビ映像などを表示することができる。そして、運転席のユーザは運転に集中できる一方、助手席のユーザは車両移動中に様々な映像を楽しむことができる。
【特許文献１】特開２００５−７１２８６号公報
【発明の開示】
【発明が解決しようとする課題】
【０００３】
特許文献１に記載されているディスプレイをナビゲーション装置に備えることによって上記のような利点がある反面、運転席のユーザと助手席のユーザとは全く異なる表示画面を見ているため、運転席のユーザと助手席のユーザとの間のコミュニケーションが成立しづらくなるという問題点がある。
【課題を解決するための手段】
【０００４】
（１）請求項１の発明のナビゲーション装置は、一方向から見える表示画面と他方向から見える表示画面とを異ならせた表示モニタと、車両が予め登録した地点を走行するとき、または予め登録した地点から所定距離内に接近したとき、予め登録したメモを表示モニタに表示する表示制御手段とを備え、表示制御手段は、一方向から見える表示画面および他方向から見える表示画面の少なくともいずれか一方に予め登録したメモを表示することを特徴とする。
（２）請求項２の発明は、請求項１に記載のナビゲーション装置において、表示制御手段は、一方向から見える表示画面には、他方向から見える表示画面に表示するメモと異なるメモを表示することを特徴とする。
（３）請求項３の発明は、請求項１または２に記載のナビゲーション装置において、表示制御手段は、一方向から見える表示画面および他方向から見える表示画面のいずれか一方、もしくは双方に、予め登録したメモを表示するようにメモ表示画面を選択する表示画面選択手段を有することを特徴とする。
（４）請求項４の発明は、請求項１乃至３のいずれか１項に記載のナビゲーション装置において、表示制御手段は、一方向として運転席側から見える表示画面に地図を、他方向として助手席側から見える表示画面に地上デジタル放送または記録媒体に記憶させた映像を表示することを特徴とする。
（５）請求項５の発明のナビゲーション装置は、２つの表示モニタと、車両が予め登録した地点を走行するとき、または予め登録した地点から所定距離内に接近したとき、２つの表示モニタのうちの少なくともいずれか一方に予め登録したメモを表示する表示制御手段を備えることを特徴とする。
（６）請求項６の発明は、請求項５に記載のナビゲーション装置において、表示制御手段は、２つの表示モニタのそれぞれに異なるメモを表示することを特徴とする。
（７）請求項７の発明は、請求項５または６に記載のナビゲーション装置において、表示制御手段は、２つの表示モニタのいずれか一方、もしくは双方に、予め登録したメモを表示するようにメモ表示画面を選択する表示画面選択手段を有することを特徴とする。
（８）請求項８の発明は、請求項５乃至７のいずれか１項に記載のナビゲーション装置において、表示制御手段は、２つの表示モニタの一方に地図を、他方に地上デジタル放送または記録媒体に記憶した映像を表示することを特徴とする。
（９）請求項９の発明は、請求項１乃至８のいずれか１項に記載のナビゲーション装置において、メモを手書き文字で入力する入力手段を備え、表示制御手段は、入力手段によって入力されたメモを表示することを特徴とする。
（１０）請求項１０の発明は、請求項１乃至９のいずれか１項に記載のナビゲーション装置において、表示制御手段は、車両が予め登録した日時において、予め登録した地点を走行するとき、または予め登録した地点から所定距離内に接近するとき、予め登録したメモを表示モニタに表示することを特徴とする。
【発明の効果】
【０００５】
本発明によれば、予めメモを地図上の位置に関連付けて登録し、車両がその位置に接近したとき、またはその位置に到達したときに、そのメモを２つの表示画面、もしくは２つの表示モニタの少なくともいずれか一方に表示するようにした。したがって、異なる映像を視聴しているユーザに対して共通の話題と提供することができる。
【発明を実施するための最良の形態】
【０００６】
本発明の実施形態によるナビゲーション装置の構成を図１に示す。ナビゲーション装置１では、運転席側から見える表示画面には自車位置周辺の道路地図を表示し、助手席側から見える表示画面には地上デジタル放送の映像を表示することができる。また、表示モニタ１６の表示画面に文字を手書きすることによって文字を入力することができる。ナビゲーション装置１は、制御回路１１、ＲＯＭ１２、ＲＡＭ１３、現在地検出装置１４、画面メモリ１５、表示モニタ１６、表示モニタコントロール部１７、入力装置１８、スピーカ１９、タッチパネル１１０、ディスクドライブ１１２、文字認識部１１４および地上デジタル放送受信部１１６を有している。ディスクドライブ１１２には、地図データが記録されたＤＶＤ−ＲＯＭ１１３が装填される。
【０００７】
制御回路１１は、マイクロプロセッサ及びその周辺回路からなり、ＲＡＭ１３を作業エリアとしてＲＯＭ１２に格納された制御プログラムを実行して各種の制御を行う。この制御回路１１がＤＶＤ−ＲＯＭ１１３に記憶された地図データに基づいて所定の経路探索処理を行うと、その処理結果が推奨経路として表示モニタ１６に表示される。
【０００８】
現在地検出装置１４は車両の現在地を検出する装置であり、たとえば、車両の進行方向を検出する振動ジャイロ１４ａ、車速を検出する車速センサ１４ｂ、ＧＰＳ（ Global Positioning System ）衛星からのＧＰＳ信号を検出するＧＰＳセンサ１４ｃなどからなる。ナビゲーション装置１は、この現在地検出装置１４により検出された車両の現在地に基づいて、地図の表示範囲や経路探索開始点などを決定するとともに、地図上にその現在地を表示する。
【０００９】
目的地が設定されると、ナビゲーション装置１はＧＰＳセンサ１４ｃにより検出された現在地を出発地として目的地までの経路演算を所定のアルゴリズムに基づいて行う。このようにして求められたルート（以下、推奨経路という）は、表示形態、たとえば表示色などを変えることによって、ほかの道路とは区別して画面表示される。これにより、ユーザは地図上の推奨経路を画面上で認識することができる。また、ナビゲーション装置１は、推奨経路に従って車両が走行できるように、ユーザに対して画面や音声などによる進行方向指示を行い、車両を経路誘導する。
【００１０】
・    画像メモリ１５は、表示モニタ１６に表示するための画像データを格納する。この画像データは道路地図描画用データや各種の図形データからなり、それらはＤＶＤ−ＲＯＭ１１３に記憶された地図データに基づいて、適宜生成される。ナビゲーション装置１は、このようにして生成された画像データを用いて地図表示など行うことができる。
【００１１】
ディスクドライブ１１２は、装填されたＤＶＤ−ＲＯＭ１１３から地図を表示するための地図データを読み出す。地図データは、地図表示用データ、経路探索用データなどを含む。地図表示用データおよび経路探索用データには、地図データに格納されている道路のリンク情報およびノード情報が含まれている。地図表示用データは、広域から詳細まで複数の縮尺の地図データを有し、ユーザの要求にしたがって、表示地図の縮尺を変更することができる。なお、ＤＶＤ−ＲＯＭ１１３以外の他の記録メディア、たとえばＣＤ−ＲＯＭやハードディスクなどより地図データを読み出してもよい。
【００１２】
地上デジタル放送受信部１１６は、地上デジタル放送を受信し、その受信した放送の内容を表示モニタコントロール部１７やスピーカ１９に出力する。地上デジタル放送受信部１１６の詳細については後述する。
【００１３】
表示モニタ１６は、地図データなどの各種情報に基づいて、自車位置付近の道路地図などの各種情報を画面表示としてユーザに提供する。また、表示モニタ１６は、地上デジタル放送受信部１１６で受信した地上デジタル放送の映像情報を出力する。表示モニタ１６には２つの映像が表示され、表示モニタ１６の液晶パネルの前面に配置された光学系分離素子によって、運転席側から１つの映像が見え、助手席側からほかの映像が見える。表示モニタコントロール部１７は、運転席側からは一の映像が、助手席側からは他の映像が見えるように表示映像を生成する。たとえば、運転席側からは自車位置付近の道路地図が見えるように、助手席側からは地上デジタル放送の映像が見えるように表示モニタ１６の映像信号を生成する。
【００１４】
入力装置１８は、ユーザが各種コマンドの設定などするための操作キーを有し、操作パネルやリモコンなどによって実現される。ユーザは、表示モニタ１６の表示画面の指示に従って入力装置１８を手動で操作することにより、目的地を選択して設定する。また入力装置１８を操作することによって、地上デジタル放送受信部１１６によって受信される放送局を選択することができる。
【００１５】
スピーカ１９は、地図データなどの各種情報に基づいて、自車位置付近の地図などの各種情報を音声により乗員に提供する。また、スピーカ１９は、地上デジタル放送受信部１１６で受信した地上デジタル放送の音声情報を出力する。
【００１６】
タッチパネル１１０は、表示モニタ１６の表面に積層される透明のタッチスイッチであり、表示モニタ１６に表示される画像はタッチパネル１１０を通して表示される。タッチパネル１１０は、タッチパネル１１０上の操作位置に応じた信号をタッチパネルコントロール部１１１に送出し、タッチパネルコントロール部１１１はタッチパネル１１０の押圧位置を算出する。
【００１７】
表示モニタ１６の表示画面を押圧するとタッチパネル１１０が押圧される。タッチパネル１１０は入力装置１８と同様に入力機能を有する。表示モニタ１６に表示された地図画面や各種ボタン、表示メニューなどを指で押圧するとタッチパネル１１０が押圧され、タッチパネルコントロール部１１１によって押圧位置が算出される。算出された押圧位置は制御回路１１に出力される。制御回路１１では、押圧位置に目的地を設定したり、各種ボタンや表示メニューに定義された処理を実行したりする。また、タッチパネル１１０に手書きされた文字をナビゲーション装置１に入力することができる。
【００１８】
文字認識部１１４は、タッチパネル１１０を押圧して手書きで描いた文字を認識する。手書き文字の認識は以下のように行う。手書きで描いた文字の入力パターンを辞書１１５に登録している文字パターンと照合する。そして、最も類似度の高い文字パターンを抽出する。抽出した文字パターンに係る文字が手書きで入力した文字に該当するとして、手書き文字が認識される。
【００１９】
次に、図２を参照して、地上デジタル放送受信部１１６について説明する。地上デジタル放送受信部１１６は、アンテナ２１，２２、アンテナ切替部２３、チューナ２４、復調部２５、デコード部２６、デコード部ＲＡＭ２７、ＮＴＳＣ( National Television System Committee )エンコード部２８、音声信号ＤＡ変換部２９および通信部２１０を有している。ここで、破線２１１の部分をフロントエンド部と、破線２１２の部分をバックエンド部と呼ぶ。
【００２０】
アンテナ２１および２２は、地上デジタル放送を受信する。アンテナ切替部２３は、アンテナ２１が受信する電波の電界強度とアンテナ２２が受信する電波の電界強度とを比較して、電界強度の強いアンテナに切り替える。チューナ２４は、アンテナ２１および２２が受信する放送のチャンネルを設定する機能、アンテナ２１および２２で受信した信号の電界強度を検出する機能、そして、アナログ信号からデジタル信号に変換する機能を有する。復調部２５は、チューナ２４でデジタル信号に変換された信号をデジタル復調する機能を有する。
【００２１】
デコード部２６は、地上デジタル波の信号に対して解凍処理を施し、これよりデジタル映像信号とデジタル音声信号を解凍して抽出する。デコード部ＲＡＭ２７は、デコード部２６における圧縮解凍処理のワークエリアとしての機能を有する。ＮＴＳＣエンコード部２８は、デジタル映像信号をＮＴＳＣ方式のアナログ出力映像信号に変換し、表示モニタコントロール部１７に出力する。音声信号ＤＡ変換回路２９は、放送デコード部２６で抽出されたデジタル音声信号をアナログ音声信号に変換し、スピーカ１９に出力する。通信部２１０は、制御回路１１からの指令信号を入力し、デコード部２６を制御する。
【００２２】
次に、本発明の実施形態のナビゲーション装置１におけるメモ表示処理について、図３〜６を参照して説明する。
【００２３】
車両が所定の位置に接近したとき、運転席のユーザと助手席のユーザとに共通のメモを見せるようにするため、運転席のユーザまたは助手席のユーザは、次のようにしてメモを表示する位置とメモの内容とを登録する。
【００２４】
メモの登録操作について、図３〜５を参照して説明する。この説明において、運転席のユーザおよび助手席のユーザを単にユーザと呼ぶ。ユーザが不図示のメニュー画面よりメモ設定モードを選択すると、図３に示すように地図３０が表示モニタ１６の表示画面に表示される。ユーザは入力装置１８を操作して地図３０をスクロールし、メモを表示する位置を表示画面に表示する。そして、メモを表示する位置を押圧して、メモを表示する位置を指定する。
【００２５】
メモを表示する位置を指定すると、図４に示すようにメモ入力画面４１が表示される。ユーザは、指やタッチペンを使用してメモ入力画面４１に手書きでメモを入力する。ここでユーザは、「夜景がきれいです」と入力したものとする。メモ入力画面４１には、登録ボタン４２と取消ボタン４３とが表示される。登録ボタン４２を押圧すると、メモ入力画面４１に入力された手書き文字が文字認識される。取消ボタン４３を押圧すると、メモ入力画面４１に入力した手書き文字が取り消され、文字入力をやり直すことができる。
【００２６】
登録ボタン４２を押圧すると、図５に示すように表示選択ボタン５１〜５３が地図３０に重ねて表示される。表示選択ボタン５１〜５３のうちの「運転席側に表示」ボタン５１を押圧すると、入力されたメモは運転席側からのみ見えるように表示モニタ１６に表示される。また、「助手席側に表示」ボタン５２を押圧すると、入力されたメモは助手席側からのみ見えるように表示され、「運転席側と助手席側に表示」ボタン５３を押圧すると、入力されたメモは運転席側と助手席側とから見えるように表示される。ここで、ユーザは「運転席側と助手席側に表示」ボタン５３を押圧したものとする。表示選択ボタン５１〜５３を押圧すると、指定された位置の座標と、文字認識されたメモと、選択された表示とがＲＡＭ１３に登録され、登録操作は完了する。
【００２７】
メモを登録した後、運転席側からは自車位置周辺を表示した地図画面を見えるように、助手席側からは地上デジタル放送の番組が見えるように表示モニタ１６を表示し、車両は走行しているものとする。登録した位置６２から所定距離以内に車両が近づくと、図６（ａ）に示すように、登録したメモ６１が表示モニタ１６の運転席側から見える表示画面に表示される。一方、助手席側から見える表示画面にも、図６（ｂ）に示すように、地上デジタル放送の映像６４と重ねて、登録したメモ６１が表示される。
【００２８】
次に、図７のフローチャートを参照して、メモ登録処理について説明する。図７の処理は、制御回路１１において不図示のメニュー画面よりメモ設定モードを選択するとスタートするプログラムを実行して行われる。
【００２９】
ステップＳ７０１では、表示モニタ１６に地図３０を表示する。ステップＳ７０２では、タッチパネル１１０から出力される信号に基づいて、タッチパネル１１０が押圧されたか判定する。押圧された場合は、ステップＳ７０２が肯定判定され、ステップＳ７０３へ進む。押圧されていない場合はステップＳ７０２を繰り返す。ステップＳ７０３では、タッチパネル１１０の押圧位置に対応する地図上の座標を検出する。ステップＳ７０４では、表示モニタ１６にメモ入力画面４１を表示する。
【００３０】
ステップＳ７０５では、登録ボタン４２が押圧されたか判定する。押圧された場合はステップＳ７０５が肯定判定され、ステップＳ７０６へ進む。押圧されていない場合はステップＳ７０５が否定判定され、ステップＳ７１０へ進む。ステップＳ７０６では、メモ入力画面４１に入力された文字を文字認識部１１４に出力する。文字認識部１１４では、制御回路１１から出力された文字を文字認識する。ステップＳ７０７では、文字認識部１１４から手書き文字の認識結果を取得する。ステップＳ７０８では、表示選択ボタン５１〜５３を表示モニタ１６に表示する。ステップＳ７０９では、タッチパネル１１０の押圧位置に対応する地図上の座標とともに文字認識の認識結果と、表示選択ボタン５１〜５３によって選択された表示画面の表示とをＲＡＭ１３に記憶する。
【００３１】
ステップＳ７１０では、取消ボタン４３が押圧されたか判定する。押圧された場合はステップＳ７１０が肯定判定され、ステップＳ７１１へ進む。押圧されていない場合はステップＳ７１０が否定判定され、ステップＳ７０５へ戻る。ステップＳ７１１では、メモ入力画面４１に入力された文字を取り消す。そして、ステップＳ７０５へ戻る。
【００３２】
次に、図８のフローチャートを参照して、メモ表示処理について説明する。図８の処理は、制御回路１１において自車位置周辺の地図を表示するとスタートするプログラムを実行して行われる。
【００３３】
ステップＳ８０１では、現在地検出装置１４によって車両の現在地を検出する。ステップＳ８０２では、ＲＡＭ１３に記憶しているメモを表示する位置の座標に対して現在地の座標を照合する。ステップＳ８０３では、現在地から所定距離内にメモを表示する座標があるか判定する。ある場合はステップＳ８０３が肯定判定され、ステップＳ８０４へ進む。ない場合はステップＳ８０３が否定判定され、ステップＳ８０１へ戻る。
【００３４】
ステップＳ８０４では、表示選択ボタン５１〜５３によって選択された表示は運転席側と助手席側に表示するものか判定する。運転席側と助手席側に表示するものである場合はステップＳ８０４が肯定判定され、ステップＳ８０５へ進む。運転席側と助手席側に表示するものでない場合はステップＳ８０４が否定判定され、ステップＳ８０６へ進む。ステップＳ８０５では、運転席側から見える表示画面と助手席側から見える表示画面とにメモ６１を表示する。
【００３５】
ステップＳ８０６では、表示選択ボタン５１〜５３によって選択された表示は運転席側に表示するものか判定する。運転席側に表示するものである場合はステップＳ８０６が肯定判定され、ステップＳ８０７へ進む。運転席側に表示するものでない場合はステップＳ８０６が否定判定され、ステップＳ８０８へ進む。ステップＳ８０７では、運転席側から見える表示画面のみにメモを表示する。ステップＳ８０８では、助手席側から見える表示画面にのみメモを表示する。
【００３６】
以上の実施形態によるナビゲーション装置１は次のような作用効果を奏する。
（１）メモ６１を位置６２に関連付けて登録し、その位置６２に近づいたときにそのメモ６１を運転席から見える表示画面と助手席から見える表示画面とに表示した。したがって、異なる映像を視聴しているユーザに対して共通の話題を提供することができ、運転席のユーザと助手席のユーザとの間のコミュニケーションを図ることができる。また、登録した位置における用事や注意事項などを失念してそのまま通り過ぎてしまうのを防止することができる。
【００３７】
（２）手書きでメモを入力することができるので、簡単にメモを入力することができる。
【００３８】
（３）メモを運転席側から見える表示画面と助手席側から見える表示画面とのうちの一方の表示画面を選択して表示することができるので、運転席のユーザもしくは助手席のユーザにのみ必要なメモを各ユーザに提示することができる。
【００３９】
以上の実施の形態のナビゲーション装置１を次のように変形することができる。
（１）メモを登録した位置から所定距離内に車両が近づくと表示モニタ１６にメモを表示するようにしたが、メモを登録した位置に車両が到達するとメモを表示するようにしてもよい。
【００４０】
（２）メモを所定の位置に関連付けて登録したが、位置以外に時間や日付と関連付けて登録するようにしてもよい。この場合、メモを登録した日時に車両が登録位置から所定距離内に近づくとメモを表示し、登録した日時でなければメモを登録した位置から所定距離内に近づいてもメモを表示しないようにする。このようにすることによって、実施形態の夜景に関するメモを、夜の時間帯やクリスマスシーズンなどにのみ表示させることができ、ユーザの利便性が向上する。
【００４１】
（３）運転席側から見える表示画面に表示するメモと助手席側から見える表示画面に表示するメモとにおいて、異なるメモが表示されるようにしてもよい。たとえば、助手席側から見える表示画面に実施形態の「夜景がきれいです」というメモを表示し、運転席側から見える表示画面には、夜景の説明を記載したメモを表示するようにしてもよい。
【００４２】
（４）表示モニタ１６は、運転席側から見える表示画面と助手席側から見える表示画面とを異なるようにしたが、ユーザの見る方向から表示画面が異なるものであれば、運転席側、助手席側に限定されない。たとえば、表示モニタ１６を上下方向でユーザの見る方向によって表示画面が変わるようにし、前部座席側から見える表示画面と後部座席側から見える表示画面を変わるようにしてもよい。
【００４３】
（５）手書き文字を文字認識部１１４で文字認識し、文字認識した結果をメモとして表示したが、手書き文字を画像データとして登録し、手書き文字をそのままメモとして表示するようにしてもよい。図形や絵文字などもメモとして表示することができ、利便性が向上する。
【００４４】
（６）表示モニタ１６に表示する映像は地上デジタル放送の映像に限定されない。たとえば、ビデオテープやＤＶＤなど記憶媒体に記憶した映像などでもよい。
【００４５】
（７）運転席側から見える表示画面と助手席側から見える表示画面とを異なるようにした表モニタ１６に適用したが、ひとつの車両に設けられた２つの表示モニタに適用してもよい。この場合、表示モニタは、見る方向によって表示画面が変わらなくてもよい。また、２つの表示モニタに表示するメモは同一である必要はなく、異なるようにしてもよい。２つの表示モニタのうちのどちらの表示モニタに登録されたメモを表示するか選択できるようにしてもよい。前部座席と後部座席とに表示モニタをそれぞれ設けた場合、前部座席の表示モニタには地図画面を表示し、後部座席の表示モニタには地上デジタル放送またはＤＶＤなど記憶媒体に記憶した映像を表示し、メモを登録した位置に車両が接近または到達すると、前部座席の表示モニタおよび後部座席の表示モニタのいずれか一方、もしくは双方に登録したメモが表示されるようにしてもよい。
【００４６】
本発明は、車両が予め登録した地点を走行するとき、または予め登録した地点から所定距離内に接近したとき、予め登録したメモを異なる２つの表示画面に表示することができれば、実施形態に限定されない。
【００４７】
特許請求の範囲の要素と実施の形態との対応関係を説明する。
本願発明の表示制御手段は制御回路１１および表示モニタコントロール部１７に対応し、表示画面選択手段および入力手段は制御回路１１、タッチパネル１１０およびタッチパネルコントロール部１１１に対応する。なお、以上の説明はあくまで一例であり、発明を解釈する上で、上記の実施形態の構成要素と本発明の構成要素の対応関係になんら限定されるものではない。
【図面の簡単な説明】
【００４８】
【図１】本発明の実施形態のナビゲーション装置の構成を示すブロック図である。
【図２】地上デジタル放送受信部の構成を示すブロック図である。
【図３】メモを表示する地図上の位置を指定する操作を説明するための図である。
【図４】メモを入力する操作を説明するための図である。
【図５】メモを表示する表示画面を選択する操作を説明するための図である。
【図６】図６（ａ）は運転席側から見える表示画面におけるメモの表示を説明するための図であり、図６（ｂ）は助手席側から見える表示画面におけるメモの表示を説明するための図である。
【図７】メモ登録処理を説明するためのフローチャートである。
【図８】メモ表示処理を説明するためのフローチャートである。
【符号の説明】
【００４９】
１  ナビゲーション装置
１１  制御回路
１３  ＲＡＭ
１４  現在地検出装置
１６  表示モニタ
１７  表示モニタコントロール部
１１０  タッチパネル
１１４  文字認識部
１１６  地上デジタル放送受信部
【図１】
2008039402.tif 000003
【図２】
2008039402.tif 000004
【図３】
2008039402.tif 000005
【図４】
2008039402.tif 000006
【図５】
2008039402.tif 000007
【図６】
2008039402.tif 000008
【図７】
2008039402.tif 000009
【図８】
2008039402.tif 000010